(57)【要約】【課題】効率的に利用者の所望する画像データを確認することのできる端末装置、画像通信システムおよび処理プログラムを提供すること。【解決手段】画像表示装置１００は、ネットワーク１５０を介して接続された相手先の画像表示装置１１０と通信をおこない、表示用画像データを記憶する記憶媒体２０４とを備える。送信元の画像表示装置１００は、送信先の画像表示装置１１０との通信に関する履歴情報を記憶媒体２０４から取得し、記憶媒体２０４に記憶された画像データのうち、複数の画像データを選択し、選択された画像データの縮小画像データを、履歴情報に基づいて生成する。画像表示装置１００は、画像表示装置１１０に対して、生成された縮小画像データを送信する。【選択図】図１
2011199585.tif 000002
【特許請求の範囲】
【請求項１】
ネットワークを介して接続された、画像データの送信先の端末装置と通信をおこなう通信手段と、前記画像データを記憶する記憶手段とを備えた送信元の端末装置であって、
前記通信手段による前記送信先の端末装置との通信に関する履歴情報を、前記履歴情報が記憶されているデータベースから取得する取得手段と、
前記記憶手段によって記憶された前記画像データのうち、前記送信先の端末装置への送信候補となる複数の前記画像データを、前記履歴情報に基づいて選択する選択手段と、
前記選択手段によって選択された前記画像データの縮小画像データを、前記履歴情報に基づいて生成する生成手段と、
前記送信先の端末装置に対して、前記生成手段によって生成された前記縮小画像データを送信する送信手段と、
を備えることを特徴とする端末装置。
【請求項２】
前記生成手段は、前記履歴情報に基づいて、前記縮小画像データの一覧のレイアウト情報を決定し、
前記送信手段は、前記送信先の端末装置に対して、前記生成手段によって決定されたレイアウト情報と、前記縮小画像データとを送信することを特徴とする請求項１に記載の端末装置。
【請求項３】
前記生成手段は、前記選択手段によって選択された前記画像データの画像数に基づいて、前記縮小画像データの一覧のレイアウト情報を決定することを特徴とする請求項１または２に記載の端末装置。
【請求項４】
前記生成手段は、前記画像データごとの縮小サイズを、前記縮小画像データの一覧のレイアウト情報として決定し、前記縮小サイズとなる前記縮小画像データを生成することを特徴とする請求項１〜３のいずれか一つに記載の端末装置。
【請求項５】
前記生成手段は、前記履歴情報として、前記送信先の端末装置との前記通信における通話内容に基づいて、前記画像データの重要度を算出し、前記重要度の高いものから前記送信先の端末装置に優先表示されるよう前記縮小画像データを生成することを特徴とする請求項１〜４のいずれか一つに記載の端末装置。
【請求項６】
前記送信先の端末装置の性能に関する性能情報を取得する性能取得手段をさらに備え、
前記生成手段は、前記性能取得手段によって取得された前記性能情報に基づいて、前記縮小画像データの一覧のレイアウト情報を決定することを特徴とする請求項１〜５のいずれか一つに記載の端末装置。
【請求項７】
ネットワークを介して接続された、画像データの送信元の端末装置と通信をおこなう通信手段と、データを表示する表示手段とを備えた送信先の端末装置であって、
前記送信元の端末装置から、受信候補となる複数の画像データの縮小画像データを受信する受信手段を備え、
前記表示手段は、前記受信手段によって受信された複数の前記縮小画像データの一覧を表示し、
前記表示手段によって表示された前記一覧に基づいて、前記縮小画像データの生成元の画像データである元画像データの取得要求の対象となる前記縮小画像データの選択を受け付ける選択受付手段と、
前記選択受付手段による選択に基づいて、前記元画像データの取得要求を、前記送信元の端末装置に送信する取得要求送信手段と、
を備えることを特徴とする端末装置。
【請求項８】
前記通信手段による前記送信元の端末装置との通信に関する履歴情報を取得する取得手段と、
前記取得手段によって取得された前記履歴情報に基づいて、前記受信手段によって受信された複数の前記縮小画像データの一覧の表示レイアウトを作成する作成手段と、をさらに備え、
前記表示手段は、前記作成手段によって作成された前記表示レイアウトに基づいて、複数の前記縮小画像データの一覧を表示することを特徴とする請求項７に記載の端末装置。
【請求項９】
前記作成手段は、自装置の性能に関する性能情報に基づいて、前記縮小画像データの一覧の前記表示レイアウトを作成することを特徴とする請求項８に記載の端末装置。
【請求項１０】
前記作成手段は、複数の前記画像データごとに決定される縮小サイズによって、前記縮小画像データの一覧の前記表示レイアウトを作成することを特徴とする請求項８または９に記載の端末装置。
【請求項１１】
画像データの送受信をおこなう送信元の端末装置と、送信先の端末装置とを含む画像通信システムであって、
前記送信元の端末装置は、
画像データを記憶する記憶手段と、
前記送信先の端末装置との間の通信に関する履歴情報を取得する取得手段と、
前記記憶手段に記憶された画像データのうち、前記送信先の端末装置への送信候補となる複数の前記画像データを、前記履歴情報に基づいて選択する選択手段と、
前記選択手段によって選択された前記画像データの縮小画像データを、前記履歴情報に基づいて生成する生成手段と、
前記送信先の端末装置に対して、前記生成手段によって生成された前記縮小画像データを送信する送信手段と、を備え、
前記送信先の端末装置は、
前記送信元の端末装置から複数の前記縮小画像データを受信する受信手段と、
前記受信手段によって受信された複数の前記縮小画像データの一覧を表示する表示手段と、
前記表示手段によって表示された前記一覧に基づいて、前記縮小画像データの生成元の元画像データの取得要求の対象となる前記縮小画像データの選択を受け付ける選択受付手段と、
前記選択手段による選択に基づいて、前記元画像データの取得要求を、前記送信元の端末装置に取得要求送信する取得要求送信手段と、
を備えることを特徴とする画像通信システム。
【請求項１２】
ネットワークを介して接続された、画像データの送信先の端末装置と通信をおこなう通信手段と、前記画像データを記憶する記憶手段とを備えた送信元の端末装置のための処理プログラムであって、
前記通信手段による前記送信先の端末装置との通信に関する履歴情報を取得させる取得工程と、
前記記憶手段によって記憶された前記画像データのうち、前記送信先の端末装置への送信候補となる複数の前記画像データを、前記履歴情報に基づいて選択させる選択工程と、
前記選択工程によって選択された前記画像データの縮小画像データを、前記履歴情報に基づいて生成させる生成工程と、
前記送信先の端末装置に対して、前記生成工程によって生成された前記縮小画像データを送信させる送信工程と、
を含む処理をコンピュータに実行させることを特徴とする処理プログラム。
【請求項１３】
ネットワークを介して接続された、画像データの送信元の端末装置と通信をおこなう通信手段と、データを表示する表示手段とを備えた送信先の端末装置ための処理プログラムであって、
前記送信元の端末装置から、受信候補となる複数の画像データの縮小画像データを受信させる受信工程と、
前記受信工程によって受信された複数の前記縮小画像データの一覧を表示させる表示工程と、
前記表示工程によって表示された前記一覧に基づいて、前記縮小画像データの生成元の画像データである元画像データの取得要求の対象となる前記縮小画像データの選択を受け付けさせる選択受付工程と、
前記選択受付工程による選択に基づいて、前記元画像データの取得要求を、前記送信元の端末装置に送信させる取得要求送信工程と、
を含む処理をコンピュータに実行させることを特徴とする処理プログラム。
【発明の詳細な説明】
【技術分野】
【０００１】
この発明は、一の装置に記憶された画像データを他の装置へ送信する端末装置、画像通信システムおよび処理プログラムに関する。
【背景技術】
【０００２】
通信によって繋がれた複数の画像データを記憶している端末装置は、他の端末装置へ画像データを送信する場合がある。近年では、送信先の端末装置は、送信元の端末装置に記憶された画像データを確認してから、送信先の端末装置の利用者が必要な画像データを取得する提案がされている。
【０００３】
たとえば、下記特許文献１では、画像データの送信元となる端末装置は、自装置の記憶媒体に記憶されている画像データのサムネイル画像を作成する。送信元の端末装置は、作成したサムネイル画像を送信先の端末装置へ送信する。送信先の端末装置は、送信元の端末装置から受信されたサムネイル画像を確認して、サムネイル画像の元の画像データの取得要求をおこなうか否かを決定する。
【先行技術文献】
【特許文献】
【０００４】
【特許文献１】特開２００８−５０６０号公報
【発明の概要】
【発明が解決しようとする課題】
【０００５】
しかしながら、上述した特許文献１に記載の従来技術では、送信元の端末装置に記憶された画像データのそれぞれについて、サムネイル画像を１枚ずつ表示して確認する構成である。したがって、複数の画像データから所望の画像データを抽出する場合、確認に時間を要してしまうという問題が一例として挙げられる。
【０００６】
この発明は、上述した問題を解決するため、送信先の端末装置との通信に関する履歴情報に基づいて、送信元の端末装置に記憶されている複数の画像データのうち縮小画像データを生成する画像データを選択することで、効率的に送信先の利用者の所望する画像データを確認することのできる端末装置、画像通信システムおよび処理プログラムを提供することを目的とする。
【課題を解決するための手段】
【０００７】
上述した課題を解決し、目的を達成するため、請求項１に記載の発明の端末装置は、ネットワークを介して接続された、画像データの送信先の端末装置と通信をおこなう通信手段と、前記画像データを記憶する記憶手段とを備えた送信元の端末装置であって、前記通信手段による前記送信先の端末装置との通信に関する履歴情報を、前記履歴情報が記憶されているデータベースから取得する取得手段と、前記記憶手段によって記憶された前記画像データのうち、前記送信先の端末装置への送信候補となる複数の前記画像データを、前記履歴情報に基づいて選択する選択手段と、前記選択手段によって選択された前記画像データの縮小画像データを、前記履歴情報に基づいて生成する生成手段と、前記送信先の端末装置に対して、前記生成手段によって生成された前記縮小画像データを送信する送信手段と、を備えることを特徴とする。
【０００８】
請求項２に記載の発明の端末装置は、上記発明において、前記生成手段は、前記履歴情報に基づいて、前記縮小画像データの一覧のレイアウト情報を決定し、前記送信手段は、前記送信先の端末装置に対して、前記生成手段によって決定されたレイアウト情報と、前記縮小画像データとを送信することを特徴とする。
【０００９】
請求項３に記載の発明の端末装置は、上記発明において、前記生成手段は、前記選択手段によって選択された前記画像データの画像数に基づいて、前記縮小画像データの一覧のレイアウト情報を決定することを特徴とする。
【００１０】
請求項４に記載の発明の端末装置は、上記発明において、前記生成手段は、前記画像データごとの縮小サイズを、前記縮小画像データの一覧のレイアウト情報として決定し、前記縮小サイズとなる前記縮小画像データを生成することを特徴とする。
【００１１】
請求項５に記載の発明の端末装置は、上記発明において、前記生成手段は、前記履歴情報として、前記送信先の端末装置との前記通信における通話内容に基づいて、前記画像データの重要度を算出し、前記重要度の高いものから前記送信先の端末装置に優先表示されるよう前記縮小画像データを生成することを特徴とする。
【００１２】
請求項６に記載の発明の端末装置は、上記発明において、前記送信先の端末装置の性能に関する性能情報を取得する性能取得手段をさらに備え、前記生成手段は、前記性能取得手段によって取得された前記性能情報に基づいて、前記縮小画像データの一覧のレイアウト情報を決定することを特徴とする。
【００１３】
請求項７に記載の発明の端末装置は、ネットワークを介して接続された、画像データの送信元の端末装置と通信をおこなう通信手段と、データを表示する表示手段とを備えた送信先の端末装置であって、前記送信元の端末装置から、受信候補となる複数の画像データの縮小画像データを受信する受信手段を備え、前記表示手段は、前記受信手段によって受信された複数の前記縮小画像データの一覧を表示し、前記表示手段によって表示された前記一覧に基づいて、前記縮小画像データの生成元の画像データである元画像データの取得要求の対象となる前記縮小画像データの選択を受け付ける選択受付手段と、前記選択受付手段による選択に基づいて、前記元画像データの取得要求を、前記送信元の端末装置に送信する取得要求送信手段と、を備えることを特徴とする。
【００１４】
請求項８に記載の発明の端末装置は、上記発明において、前記通信手段による前記送信元の端末装置との通信に関する履歴情報を取得する取得手段と、前記取得手段によって取得された前記履歴情報に基づいて、前記受信手段によって受信された複数の前記縮小画像データの一覧の表示レイアウトを作成する作成手段と、をさらに備え、前記表示手段は、前記作成手段によって作成された前記表示レイアウトに基づいて、複数の前記縮小画像データの一覧を表示することを特徴とする。
【００１５】
請求項９に記載の発明の端末装置は、上記発明において、前記作成手段は、前記性能取得手段によって取得された自装置の性能に関する性能情報に基づいて、前記縮小画像データの一覧の前記表示レイアウトを作成することを特徴とする。
【００１６】
請求項１０に記載の発明の端末装置は、上記発明において、前記決定手段は、複数の前記画像データごとに決定される縮小サイズによって、前記縮小画像データの一覧の前記表示レイアウトを作成することを特徴とする。
【００１７】
請求項１１に記載の発明の画像通信システムは、画像データの送受信をおこなう送信元の端末装置と、送信先の端末装置とを含む画像通信システムであって、前記送信元の端末装置は、画像データを記憶する記憶手段と、前記送信先の端末装置との間の通信に関する履歴情報を取得する取得手段と、前記記憶手段に記憶された画像データのうち、前記送信先の端末装置への送信候補となる複数の前記画像データを、前記履歴情報に基づいて選択する選択手段と、前記選択手段によって選択された前記画像データの縮小画像データを、前記履歴情報に基づいて生成する生成手段と、前記送信先の端末装置に対して、前記生成手段によって生成された前記縮小画像データを送信する送信手段と、を備え、前記送信先の端末装置は、前記送信元の端末装置から複数の前記縮小画像データを受信する受信手段と、前記受信手段によって受信された複数の前記縮小画像データの一覧を表示する表示手段と、前記表示手段によって表示された前記一覧に基づいて、前記縮小画像データの生成元の元画像データの取得要求の対象となる前記縮小画像データの選択を受け付ける選択受付手段と、前記選択手段による選択に基づいて、前記元画像データの取得要求を、前記送信元の端末装置に取得要求送信する送信手段と、を備えることを特徴とする。
【００１８】
請求項１２に記載の発明の処理プログラムは、ネットワークを介して接続された、画像データの送信先の端末装置と通信をおこなう通信手段と、前記画像データを記憶する記憶手段とを備えた送信元の端末装置のための処理プログラムであって、前記通信手段による前記送信先の端末装置との通信に関する履歴情報を取得させる取得工程と、前記記憶手段によって記憶された前記画像データのうち、前記送信先の端末装置への送信候補となる複数の前記画像データを、前記履歴情報に基づいて選択させる選択工程と、前記選択工程によって選択された前記画像データの縮小画像データを、前記履歴情報に基づいて生成させる生成工程と、前記送信先の端末装置に対して、前記生成工程によって生成された前記縮小画像データを送信させる送信工程と、を含む処理をコンピュータに実行させることを特徴とする。
【００１９】
請求項１３に記載の発明の処理プログラムは、ネットワークを介して接続された、画像データの送信元の端末装置と通信をおこなう通信手段と、データを表示する表示手段とを備えた送信先の端末装置ための処理プログラムであって、前記送信元の端末装置から、受信候補となる複数の画像データの縮小画像データを受信させる受信工程と、前記受信工程によって受信された複数の前記縮小画像データの一覧を表示させる表示工程と、前記表示工程によって表示された前記一覧に基づいて、前記縮小画像データの生成元の画像データである元画像データの取得要求の対象となる前記縮小画像データの選択を受け付けさせる選択受付工程と、前記選択受付工程による選択に基づいて、前記元画像データの取得要求を、前記送信元の端末装置に送信させる取得要求送信工程と、を含む処理をコンピュータに実行させることを特徴とする。
【発明の効果】
【００２０】
請求項１に記載の発明によれば、画像データの送信先の端末装置との履歴情報に基づいて、縮小画像データを生成するための画像データを選択することができる。また、選択した画像データに対して、送信先の端末装置に適した画像データの縮小画像データを生成して送信することができる。したがって、送信に適した画像データを送信先で確認させることができる。すなわち、送信元の利用者が送信したい画像データや、送信先の端末装置の利用者が所望する画像データを最適な条件で確認可能となるよう、送信先の端末装置に縮小画像データを送信することができる。
【００２１】
請求項２に記載の発明によれば、送信先の端末装置との履歴情報に基づいて、縮小画像データの一覧のレイアウト情報を決定することができる。したがって、履歴情報に応じたレイアウトの縮小画像データによって、送信先の利用者に画像データを的確に確認させることができる。
【００２２】
請求項３に記載の発明によれば、画像データの画像数に基づいて、縮小画像データのレイアウト情報を決定することができる。したがって、画像数に適したレイアウトの縮小画像データによって、送信先の利用者に画像データを的確に確認させることができる。
【００２３】
請求項４に記載の発明によれば、画像データごとの縮小サイズを、レイアウト情報として決定することができる。したがって、適切なサイズの縮小画像データによって、送信先の利用者に画像データを的確に確認させることができる。
【００２４】
請求項５に記載の発明によれば、送信先の端末装置との通話内容に基づく画像データの重要度を用いて、縮小画像データを作成することができる。したがって、重要度に応じた縮小画像データによって、送信先の利用者に画像データを的確に確認させることができる。
【００２５】
請求項６に記載の発明によれば、送信先の端末装置の性能情報に基づいて、縮小画像データのレイアウト情報を決定することができる。したがって、送信先の端末装置の性能に適したレイアウトの縮小画像データによって、送信先の利用者に画像データを的確に確認させることができる。
【００２６】
請求項７に記載の発明によれば、複数の縮小画像データの一覧を表示して、送信元の端末装置に元画像データの取得要求をおこなうことができる。したがって、送信元の利用者が送信を所望する元画像データや送信先の利用者が所望する元画像データを、送信先の利用者によって効率的に確認させることで、適切な取得要求をおこなうことができる。
【００２７】
請求項８に記載の発明によれば、送信元の端末装置との履歴情報に基づいて、縮小画像データの一覧の表示レイアウトを作成することができる。したがって、適切なレイアウトによって、送信先の利用者に元画像データを確認させることができる。
【００２８】
請求項９に記載の発明によれば、自装置の性能情報に基づいて、縮小画像データの一覧の表示レイアウトを作成することができる。したがって、自装置の性能に適したレイアウトの縮小画像データによって、送信先の利用者に画像データを的確に確認させることができる。
【００２９】
請求項１０に記載の発明によれば、画像データごとにさまざまな縮小サイズの縮小画像データからなる表示レイアウトを作成することができる。したがって、適切なサイズの縮小画像データによって、送信先の利用者に画像データを容易に確認させることができる。
【００３０】
請求項１１に記載の発明によれば、送信元の端末装置と、送信先の端末装置との履歴情報に基づいて、縮小画像データを生成するための画像データを選択し、送信先端末によって、選択された画像データの縮小画像データの一覧を表示することができる。したがって、送信元の利用者が送信を所望する画像データや送信先の利用者が所望する画像データを、送信先の利用者によって効率的に確認させることで、適切な取得要求をおこなうことができる。
【００３１】
請求項１２に記載の発明によれば、コンピュータによって、送信先の端末装置との履歴情報に基づいて、縮小画像データを生成するための画像データを選択させることができる。したがって、送信先の端末装置に適した画像データの縮小画像データを送信させ、送信先の端末装置において、送信元の利用者が送信を所望する画像データや送信先の利用者が所望する画像データを、送信先の利用者によって効率的に確認させることができる。
【００３２】
請求項１３に記載の発明によれば、コンピュータによって、複数の縮小画像データの一覧を表示させて、送信先の端末装置に元画像データの取得要求をおこなわせることができる。したがって、送信先の利用者によって元画像データを効率的に確認させて取得要求をおこなわせることができる。
【００３３】
以上説明したように、本発明にかかる端末装置、画像通信システムおよび処理プログラムによれば、送信元の利用者が送信を所望する画像データや送信先の利用者の所望する画像データについて、送信先の利用者による効率的な確認を図ることができるという効果を奏する。
【図面の簡単な説明】
【００３４】
【図１】本発明の実施形態の画像表示装置の一例を示す説明図である。
【図２】本発明の実施形態の画像表示装置のハードウェア構成の一例を示す説明図である。
【図３】本発明の実施形態の記憶媒体に記憶される各種データの一例を示す説明図である。
【図４】本発明の実施形態の画像表示装置の処理の内容を示すフローチャートである。
【図５】本発明の実施形態の画像処理装置におけるサムネイル画像送信処理（図４に示したステップＳ４０２）の内容を示すフローチャートである。
【図６】本発明の実施形態の重要度決定処理（図５に示したステップＳ５０２）の処理の内容を示す説明図である。
【図７】本発明の実施形態の重み付与に関する決定項目と点数の一例を示す説明図である。
【図８】本発明の実施形態の画像表示装置におけるレイアウト決定処理（図５に示したステップＳ５０３）の処理の内容を示すフローチャートである。
【図９】本発明の実施形態の画像表示装置におけるサムネイル画像の数調整と配置の決定の一例を示す説明図である。
【図１０】本発明の実施形態の送信先の画像表示装置の処理の内容を示すフローチャートである。
【発明を実施するための形態】
【００３５】
以下に添付図面を参照して、この発明の端末装置、画像通信システムおよび処理プログラムの好適な実施の形態を詳細に説明する。
【００３６】
（実施形態）
（全体構成）
図１を用いて、本発明の端末装置を、メモリなどの記憶媒体に記憶された表示用画像データの連続再生が可能な、いわゆるフォトフレームなどの画像表示装置に適用し、画像通信システムおよび処理プログラムを画像表示装置によって実行する場合について説明する。
【００３７】
図１は、本発明の実施形態の画像表示装置の一例を示す説明図である。図１において、画像表示装置１００，１１０は、同様の構成であり、画像表示装置１００は、本発明における送信元の端末装置として機能し、画像表示装置１１０は、本発明における送信先の端末装置として機能する。
【００３８】
画像表示装置１００は、インターネットや公衆電話回線網などのネットワーク１５０を介して画像表示装置１１０と接続され、相互に通信可能な構成である。画像表示装置１００，１１０は、通話制御部２１７に接続されたマイクやスピーカなどを備え、相互通信として、たとえば、インターネット回線を利用したＩＰ（インターネットプロトコル）電話によって、図示しないプロバイダ業者を介した通話をおこなう。画像表示装置１００は、記憶媒体２０４などに複数の表示用画像データを記憶している。画像表示装置１００は、通信対象の画像表示装置１１０との通信に関する履歴情報に基づいて、記憶媒体２０４に記憶された表示用画像データのうち、複数の表示用画像データを選択する。詳細は図３を用いて説明するが、履歴情報は、たとえば、電話通信による通話回数、通話日時や通話内容や表示用画像データの取得元などを含む情報である。
【００３９】
送信元の画像表示装置１００は、選択された表示用画像データについて、履歴情報に基づいて縮小画像データとしてサムネイル画像を生成する。画像表示装置１００は、生成したサムネイル画像を、ネットワーク１５０を介して、送信先の画像表示装置１１０が一覧可能となるように送信する。
【００４０】
送信先の画像表示装置１１０は、通信対象である送信元の画像表示装置１００からネットワーク１５０を介して送信された複数のサムネイル画像を受信する。画像表示装置１１０は、受信されたサムネイル画像を、利用者から選択可能にディスプレイ２１５に一覧表示する。詳細は図４〜図１０を用いて説明するが、サムネイル画像の一覧表示は、たとえば、画像表示装置１００と、画像表示装置１１０との間の通信に関する履歴情報に基づいて決定される表示レイアウトに基づいて表示される。
【００４１】
表示レイアウトは、たとえば、送信元の画像表示装置１００によって、履歴情報に基づいてレイアウト情報を決定する。送信元の画像表示装置１００は、決定されたレイアウト情報とサムネイル画像とを送信先の画像表示装置１１０に送信する。送信先の画像表示装置１１０は、受信されたレイアウト情報に基づいて、サムネイル画像の表示レイアウトを決定する。なお、レイアウト情報は、送信先の画像表示装置１１０の性能や、送信対象のサムネイル画像の枚数などに応じて決定することとしてもよい。
【００４２】
また、表示レイアウトは、送信元の画像表示装置１００でレイアウト情報を決定する代わりに、送信先の画像表示装置１１０でレイアウト情報を決定し、決定されたレイアウト情報に基づいて決定する構成としてもよい。すなわち、送信先の画像表示装置１１０は、送信元の画像表示装置１１０との履歴情報を取得して、取得された履歴情報に基づいて表示レイアウトを決定する。なお、表示レイアウトは、送信先の画像表示装置１１０の性能や、受信されたサムネイル画像の枚数などに応じて決定することとしてもよい。
【００４３】
送信先の画像表示装置１１０は、送信先の利用者から選択可能に表示した複数のサムネイル画像の一覧に基づいて、選択を受け付ける。具体的には、送信先の画像表示装置１１０は、送信元の画像表示装置１００によって決定された表示レイアウトからなるサムネイル画像の一覧を、各サムネイル画像のいずれかを後述する操作入力部２１６によって選択可能に表示する。送信先の画像表示装置１１０は、選択されたサムネイル画像について、サムネイル画像の元となった表示用画像データの取得要求を、送信元の画像表示装置１００へ送信する。
【００４４】
（機能的構成）
図２を用いて、本発明の実施形態の画像表示装置１００，１１０のハードウェア構成について説明する。図２は、本発明の実施形態の画像表示装置のハードウェア構成の一例を示す説明図である。
【００４５】
図２において、画像表示装置１００，１１０は、ＣＰＵ（セントラルプロセッシングユニット）２０１と、ＲＡＭ（ランダムアクセスメモリ）２０２と、ＲＯＭ（リードオンリーメモリ）２０３と、各種情報を記憶する記憶媒体２０４と、ディスプレイ２１５に対して画像データの出力を制御する映像Ｉ／Ｆ２０５と、操作入力部２１６と、通話制御部２１７とを介して各種情報の入力を受け付ける入出力Ｉ／Ｆ２０６と、外部機器との通信を制御する通信Ｉ／Ｆ２０７とを備えている。また、画像表示装置１００，１１０の各構成部は、バス２２０によってそれぞれ接続されている。
【００４６】
ＣＰＵ２０１は、画像表示装置１００，１１０全体の制御をおこなう。ＣＰＵ２０１は、ＲＡＭ２０２をワークエリアとして、ＲＯＭ２０３から読み込まれる各種プログラムを実行する。
【００４７】
記憶媒体２０４は、ＨＤ（ハードディスク）や着脱可能な記憶媒体の一例としてのＵＳＢ（Ｕｎｉｖｅｒｓａｌ  Ｓｅｒｉａｌ  Ｂｕｓ）メモリやＦＤ（フレキシブルディスク）などである。記憶媒体２０４は、それぞれのドライブデバイスを有している。ＣＰＵ２０１は、ドライブデバイスを制御して記憶媒体２０４に各種データを記憶、または、記憶媒体２０４から各種データを読み取る。
【００４８】
具体的には、たとえば、記憶媒体２０４は本発明の記憶手段の機能を実現し、ＣＰＵ２０１の制御にしたがって、写真などの表示用画像データや、履歴情報としての通話履歴データや通話相手を検索可能な電話帳データなどが記憶される。送信元の画像表示装置１００と、送信先の画像表示装置１１０との間で通話された場合、送信元の画像表示装置１００の利用者の通話相手は、送信先の画像表示装置１１０の利用者となる。同様に、送信先の画像表示装置１１０の利用者の通話相手は、送信元の画像表示装置１００の利用者となる。各種データは、通信Ｉ／Ｆ２０７を介して外部機器から入力されたり、記憶媒体２０４の着脱によって外部機器から取り込まれたり、後述する操作入力部２１６から入力されたりする。
【００４９】
ここで、図３を用いて記憶媒体２０４に記憶される各種データについて説明する。図３は、本発明の実施形態の記憶媒体に記憶される各種データの一例を示す説明図である。図３において、記憶媒体２０４は、各種データを記憶する表示用画像データ記憶領域３０１と、通話履歴データ記憶領域３０２と、電話帳データ記憶領域３０３とを含み構成されている。なお、図３の説明では、送信元の画像表示装置１００から、送信先の画像表示装置１１０に対して表示用画像データを送信する場合について説明する。すなわち、送信元の画像表示装置１００の記憶媒体２０４に記憶された各種データについて説明する。
【００５０】
表示用画像データ記憶領域３０１には、表示用画像データが記憶されている。表示用画像データは、テーブル３１０に示すように、ファイル名３１１と、表示回数３１２と、表示用画像データの撮影時の緯度・経度情報と、表示用画像データに関連付けられたキーワード３１４，３１５と、被写体の顔情報３１６と、画像情報３１７と、表示用画像データの取得元３１８とを含み構成されている。
【００５１】
ファイル名３１１は、表示用画像データに付された名称であり、送信元の画像表示装置１００の利用者による設定や、表示用画像データを撮像した機器による自動的な付与などによって決定される。表示回数３１２は、画像表示装置１００によって表示された回数である。緯度・経度情報は、表示用画像データが撮像された地点を示す情報であり、画像表示装置１００の利用者による設定や、撮像した機器による自動取得などによって一意に決定される。
【００５２】
キーワード３１４，３１５は、表示用画像データに関連付けられた単語であり、利用者による設定や、表示用画像データの画像認識によって、表示用画像データが示す地物などによって決定される構成でもよい。具体的には、たとえば、インターネット上に公開されている情報について所定の検索キーワードで検索される画像と、表示用画像データとが類似している場合に、検索キーワードをキーワード３１４，３１５として決定する。また、新たな表示用画像データについて、すでに記憶媒体２０４に記憶されている表示用画像データとの類似度に基づいて、すでに記憶されている表示用画像データのキーワードを用いる構成でもよい。
【００５３】
顔情報３１６は、表示用画像データに含まれる人物を示す情報である。顔情報３１６は、たとえば、画像表示装置１００の利用者によって予め設定入力される。なお、図３の説明では「Ｂさん」や「Ｃさん」のように固有名詞で示すこととしたが、これに限ることはなく、顔情報３３３の対応付けられた所有者を示す識別コードや、電話番号３３１であってもよい。画像情報３１７は、ファイル名３１１に対応する画像データであり、ＪＰＥＧ形式やＧＩＦ形式などのさまざまなデータ形式により保存される。取得元３１８は、表示用画像データの取得元を示す情報で、自装置や他の端末装置（たとえば、画像表示装置１１０）などの識別情報などが記憶される。具体的には、取得元３１８は、各装置の識別番号、各装置の電話番号、各装置の所有者を示す識別コードなどでもよい。
【００５４】
通話履歴データ記憶領域３０２には、画像表示装置１００による通話履歴データが記憶されている。通話履歴データは、テーブル３２０に示すように、通話相手となった送信先の画像表示装置１１０やその他の端末装置などの電話番号３２１と、通話者３２２と、前回の通話日時３２３と、通話内容（キーワード）３２４とを含み構成されている。
【００５５】
電話番号３２１は、送信先の画像表示装置１１０やその他の端末装置などと通話するためのアドレスを示す情報である。通話者３２２は、送信先の画像表示装置１１０やその他の装置の利用者を示す情報であり、後述する電話帳データに基づき設定したり、利用者によって入力されたりする。具体的には、「Ａさん」や「Ｂさん」のように固有名詞で示す代わりに、所有者を示す識別コードなどで示すこととしてもよい。前回通話日時３２３は、電話番号３２１を有する機器を用いて通話者３２２が通話をおこなった日時情報である。通話内容３２４は、通話者３２２や通話内容に含まれるキーワードを示す情報であり、通話時の音声認識によって抽出される。公知技術であるため詳細な説明は省略するが、音声認識は、たとえば、隠れマルコフモデルなどを用いて所定単位のベクトルから得られる確率分布によって単語や音素を決定する。所定のキーワードを記憶した単語データベースに基づいて、通話中に発話されたキーワードを、たとえば、地名、趣味、その他などに分類されて記憶される。
【００５６】
電話帳データ記憶領域３０３には、電話帳データが記憶されている。電話帳データは、テーブル３３０に示すように、電話番号３３１と、電話番号３３１を有する送信先の画像表示装置１１０やその他の端末装置の所有者３３２（たとえば、利用者）と、所有者の顔情報３３３と、キーワード３３４とを含み構成されている。
【００５７】
電話番号３３１、所有者３３２、顔情報３３３、キーワード３３４は、たとえば、それぞれ利用者によって入力される。キーワード３３４は、所有者の居住地、訪問先、趣味などが設定される。キーワード３３４は、利用者により入力可能な構成としたが、キーワードの候補群から絞り込んで入力する構成としてもよい。
【００５８】
図２に戻って、映像Ｉ／Ｆ２０５は、ＣＰＵ２０１の制御にしたがって、ディスプレイ２１５に各種情報を表示させる。映像Ｉ／Ｆ２０５は、たとえば、本発明の表示手段の機能を実現し、再生対象の表示用画像データや、画像表示装置１００，１１０の処理画面などをディスプレイ２１５に表示させる。
【００５９】
入出力Ｉ／Ｆ２０６は、操作入力部２１６に対するデータの入出力を制御する。操作入力部２１６は、たとえば、本発明の選択受付手段の機能を実現し、タッチパネルや操作ボタンなどによって構成され、画像表示装置１００，１１０に対する操作情報の入力を受け付けて、入力された信号を入出力Ｉ／Ｆ２０６を介してＣＰＵ２０１へ出力する。
【００６０】
また、入出力Ｉ／Ｆ２０６は、通話制御部２１７における通話の入出力を制御する。通話制御部２１７は、マイクやスピーカなどに接続され、通信Ｉ／Ｆ２０７を介して他の端末装置と電話通信による音声の入出力によって通話を可能とする。
【００６１】
通信Ｉ／Ｆ２０７は、通信回線を通じてインターネットなどのネットワーク１５０に接続され、このネットワーク１５０を介して他の端末装置などに接続される。通信Ｉ／Ｆ２０７は、たとえば、本発明の通信手段の機能を実現し、ネットワーク１５０と画像表示装置１００，１１０内部のインターフェースをつかさどり、外部機器に対するデータの入出力を制御する。通信Ｉ／Ｆ２０７には、たとえば、モデムやＬＡＮアダプタなどを採用することができる。通信Ｉ／Ｆ２０７は、音声などによる画像表示装置１００，１１０同士の電話通信を制御する。なお、本実施形態では、電話通信による通話について電話番号などによって通信をおこなう例について説明したが、画像表示装置１００，１１０や他の装置のＩＰアドレスなどのアドレス情報による相互通信などをおこなう構成でもよい。
【００６２】
図１に示した画像表示装置１００から、画像表示装置１００の記憶媒体２０４に記憶された表示用画像データを、通信Ｉ／Ｆ２０７を介して画像表示装置１１０へ送信する場合について説明する。
【００６３】
画像表示装置１００は、送信先の画像表示装置１１０との通話が開始されると、画像表示装置１１０との履歴情報である表示用画像データの取得元、通話履歴データや電話帳データなどに基づいて、記憶媒体２０４に記憶された表示用画像データのうち、複数の表示用画像データを選択する。詳細は図４〜図１０を用いて説明するが、画像表示装置１００のＣＰＵ２０１は、たとえば、本発明の取得手段、選択手段および生成手段の機能を実現し、選択された表示用画像データについて、表示用画像データの画像情報３１７を用いて、縮小画像データであるサムネイル画像を生成する。画像表示装置１００は、生成したサムネイル画像を、本発明の送信手段の機能を実現する通信Ｉ／Ｆ２０７を介して、送信先の画像表示装置１１０によって一覧可能となるように送信する。
【００６４】
画像表示装置１１０は、送信元の画像表示装置１００から本発明の受信手段の機能を実現する通信Ｉ／Ｆ２０７を介して送信された複数のサムネイル画像を受信する。画像表示装置１１０は、受信されたサムネイル画像を画像表示装置１１０の利用者から選択可能にディスプレイ２１５に一覧表示する。詳細は図４〜図１０を用いて説明するが、サムネイル画像の一覧表示は、たとえば、画像表示装置１００と、画像表示装置１１０との間の通信に関する履歴情報に基づいて決定される表示レイアウトに基づいて表示される。
【００６５】
画像表示装置１１０は、表示した複数のサムネイル画像の一覧に基づいて、画像表示装置１１０の利用者からの操作入力部２１６による選択を受け付ける。画像表示装置１１０のＣＰＵ２０１は、選択されたサムネイル画像について、サムネイル画像の元となった表示用画像データの取得要求を、本発明の取得要求送信手段の機能を実現する通信Ｉ／Ｆ２０７を介して送信元の画像表示装置１００へ送信する。
【００６６】
（画像表示装置１００の処理の内容）
図４を用いて、本発明の実施形態の画像表示装置１００の処理の内容について説明する。図４は、本発明の実施形態の画像表示装置の処理の内容を示すフローチャートである。図４のフローチャートは、表示用画像データを送信先の画像表示装置１１０に送信する送信元の端末装置である画像表示装置１００の処理の一例を示すフローチャートである。
【００６７】
図４のフローチャートにおいて、まず、ＣＰＵ２０１は、通信Ｉ／Ｆ２０７を介して、送信先の画像表示装置１１０との通話が開始されたか否かを判断する（ステップＳ４０１）。具体的には、操作入力部２１６が利用者によって操作されて画像表示装置１１０の電話番号が入力されると、通信Ｉ／Ｆ２０７によって、ネットワーク１５０に接続されたプロバイダを介して発呼がおこなわれる。ステップＳ４０１においては、ＣＰＵ２０１は、通信Ｉ／Ｆ２０７によって、発呼に応じた応答を受信することで通話が開始されたか否かを判断する。ステップＳ４０１において、通話が開始されるのを待って、開始された場合（ステップＳ４０１：Ｙｅｓ）は、ＣＰＵ２０１は、画像表示装置１１０へ送信対象となる表示用画像データのサムネイル画像送信処理をおこなう（ステップＳ４０２）。
【００６８】
図５を用いて、本発明の実施形態の画像表示装置１００におけるサムネイル画像送信処理（図４に示したステップＳ４０２）について説明する。図５は、本発明の実施形態の画像処理装置におけるサムネイル画像送信処理（図４に示したステップＳ４０２）の内容を示すフローチャートである。図５のフローチャートにおいて、まず、ＣＰＵ２０１は、記憶媒体２０４に記憶されている表示用画像データのうち、送信先の画像表示装置１１０に存在しないと推測される表示用画像データを抽出する（ステップＳ５０１）。送信先の画像表示装置１１０に存在するか否かの推測は、たとえば、履歴情報として、図３に示した表示用画像データを示すテーブル３１０における各表示用画像データのファイル名３１１に対応付けられた取得元３１８を参照して、取得元となった装置について通話履歴データや電話帳データにおける所有者（電話番号）が送信先の画像表示装置１１０の所有者（電話番号）と一致しない場合に、送信先の画像表示装置１１０に存在しないと推測してもよい。なお、図５の説明では、ステップＳ５０１においてテーブル３１０を参照することとしたが、これに限ることはなく、送信先の画像表示装置１１０に自装置が記憶している表示用画像データのファイル名３１１を問合せて画像表示装置１１０が記憶している表示用画像データのファイル名３１１と一致するかを検索する構成でもよい。
【００６９】
ＣＰＵ２０１は、ステップＳ５０１において抽出された表示用画像データにおける画像情報３１７から生成するサムネイル画像の重要度決定処理をおこなう（ステップＳ５０２）。
【００７０】
図６を用いて、本発明の実施形態の画像表示装置１００における重要度決定処理（図５に示したステップＳ５０２）について説明する。図６は、本発明の実施形態の重要度決定処理（図５に示したステップＳ５０２）の処理の内容を示す説明図である。図６のフローチャートにおいて、まず、ＣＰＵ２０１は、ステップＳ４０１において通話が開始された送信先の画像表示装置１１０の電話番号に基づいて、記憶媒体２０４に記憶された通話履歴データのテーブル３２０および電話帳データのテーブル３３０を参照して、通話履歴データのテーブル３２０から画像表示装置１１０の電話番号に対応付けられたキーワード、電話帳、前回通話日時などを取得する（ステップＳ６０１）。
【００７１】
ＣＰＵ２０１は、ステップＳ６０１において取得された情報から、画像表示装置１１０の電話番号３２１に対応付けられた前回の通話履歴があるか否かを判断する（ステップＳ６０２）。ステップＳ６０２において、前回の通話履歴がない場合（ステップＳ６０２：Ｎｏ）は、ステップＳ６０７へ移行する。ステップＳ６０２において前回の通話履歴がある場合（ステップＳ６０２：Ｙｅｓ）は、ＣＰＵ２０１は、通話履歴データにおける電話番号３２１に対応付けられキーワードに地名があるか否かを判断する（ステップＳ６０３）。
【００７２】
ステップＳ６０３においてキーワードに地名がない場合（ステップＳ６０３：Ｎｏ）は、ステップＳ６０５へ移行する。ステップＳ６０３において、キーワードに地名がある場合（ステップＳ６０３：Ｙｅｓ）は、ＣＰＵ２０１は、地名を緯度・経度情報に変換し、表示用画像データのテーブル３１０におけるファイル名３１１に対応付けられた緯度・経度情報に基づいて、重要度として、ステップＳ５０１において抽出された表示用画像データに重みを付与する（ステップＳ６０４）。
【００７３】
重みは、たとえば、記憶媒体２０４に記憶されている通話履歴データや電話帳データと、表示用画像データとによって決定される点数が付与される構成である。ステップＳ６０４においては、ＣＰＵ２０１は、送信先の画像表示装置１１０に関連付けられた通話履歴データにおけるキーワードから変換される緯度・経度情報が、送信元の画像表示装置１００が記憶している表示用画像データの緯度・経度情報から所定範囲内であったときに、ステップＳ５０１において抽出された表示用画像データに所定の点数を付与する。
【００７４】
図７を用いて、本発明の実施形態の重要度としての重みの付与について説明する。図７は、本発明の実施形態の重み付与に関する決定項目と点数の一例を示す説明図である。図７において、重み一覧７００は、決定項目と、決定項目に対応付けられた点数とを含み構成されている。
【００７５】
決定項目は、図４に示したステップＳ４０１において通話が開始された画像表示装置１１０（の電話番号）に関連付けられた通話履歴データや電話帳データの各項目と、表示用画像データの各項目との比較対象項目を示している。点数は、決定項目について、一致あるいは所定範囲で類似（近似）していた場合に付与する重みである。具体的には、「通話の地名キーワードと画像の緯度・経度」は、ステップＳ６０４で示した、通話履歴データの地名に基づく緯度・経度情報が、表示用画像データの緯度・経度情報３１３の所定範囲である場合に、重みとして「４点」を付与する項目である。
【００７６】
「キーワードと画像認識」は、画像認識によって表示用画像データに通話履歴データのキーワード３２４が含まれている場合に、重みとして「２点」を付与する項目である。「キーワードと画像のキーワード」は、通話履歴データのキーワード３２４と、表示用画像データのキーワード３１４，４１５とが一致あるいは類似している場合に、重みとして「３点」を付与する項目である。
【００７７】
「電話帳の顔情報と画像認識」は、電話帳データにおける顔情報３３３と、表示用画像データにおける顔情報３１６とが一致あるいは類似している場合に、重みとして「５点」を付与する項目である。類似は、たとえば、顔情報３３３と、顔情報３１６との所定の特徴領域について比較をおこない、差分が所定以下の場合に類似とする。「電話帳のキーワードと画像認識」は、画像認識によって表示用画像データに電話帳データにおけるキーワード３３４が含まれている場合に、重みとして「２点」を付与する項目である。「電話帳のキーワードと画像のキーワード」は、電話帳データにおけるキーワード３３４と、表示用画像データのキーワード３１４，４１５とが一致あるいは類似している場合に、重みとして「３点」を付与する項目である。
【００７８】
「表示回数１０回以上」は、表示用画像データの表示回数３１２が１０回以上であった場合に、「３点」を付与する項目である。すなわち、たとえば、「通話の地名キーワードと画像の緯度・経度」および「電話帳の顔情報と画像認識」が一致あるいは類似し、表示回数が１０回以上である表示用画像データの重みの合計は「１２点」となる。
【００７９】
図６に戻って、ＣＰＵ２０１は、通話履歴データにおけるキーワード３２４による重み付けをおこなう（ステップＳ６０５）。キーワードによる重み付けは、たとえば、図７に示した「キーワードと画像認識」や「キーワードと画像のキーワード」によって重みを付与する。
【００８０】
ＣＰＵ２０１は、前回の通話から今回の通話までの表示回数による重み付けをおこなう（ステップＳ６０６）。表示回数による重み付けは、たとえば、図７に示した「表示回数１０回以上」によって重みを付与する。なお、ステップＳ６０６では、前回の通話から今回の通話までの期間における表示回数としたが、これに限ることはない。具体的には、全表示回数や、所定期間の表示回数などを用いることとしてもよい。
【００８１】
ＣＰＵ２０１は、ステップＳ６０１において取得された情報における電話帳データのテーブル３３０から、図４に示したステップＳ４０１において通話が開始された送信先の画像表示装置１１０（の電話番号）の電話帳登録があるか否かを判断する（ステップＳ６０７）。ステップＳ６０７において、電話帳登録がない場合（ステップＳ６０７：Ｎｏ）は、そのまま一連の重要度決定処理終了し、図５に示したステップＳ５０３へ移行する。
【００８２】
ステップＳ６０７において、電話帳登録があった場合（ステップＳ６０７：Ｙｅｓ）は、ＣＰＵ２０１は、電話帳データの顔情報３３３に顔情報が登録されているか否かを判断する（ステップＳ６０８）。ステップＳ６０８において、顔情報の登録がない場合（ステップＳ６０８：Ｎｏ）は、ステップＳ６１０へ移行する。
【００８３】
ステップＳ６０８において、顔情報の登録があった場合（ステップＳ６０８：Ｙｅｓ）は、ＣＰＵ２０１は、顔認証による重み付けをおこなう（ステップＳ６０９）。顔認証による重み付けは、たとえば、図７に示した「電話帳の顔情報と画像認識」によって重みを付与する。
【００８４】
ＣＰＵ２０１は、電話帳データにおける趣味などのキーワードによる重み付けをおこない（ステップＳ６１０）、そのまま一連の重要度決定処理を終了し、図５に示したステップＳ５０３へ移行する。趣味などのキーワードによる重み付けは、たとえば、図７に示した「電話帳のキーワードと画像認識」や「電話帳のキーワードと画像のキーワード」によって重みを付与する。
【００８５】
なお、図６および図７の説明では、決定項目に対して、表示用画像データの各項目と、通話履歴データや電話帳データの各項目について重みを付与する構成として説明したがこれに限ることはない。具体的には、キーワードを用いる場合、送信先の画像表示装置１１０との会話内容と比較して重みを付与してもよい。また、複数の項目で一致あるいは類似があった場合は、さらに重みを高くするよう調整してもよい。また、決定項目について、多段階で点数を設けてもよい。たとえば、表示回数について、０〜４回は０点、５〜９回は１点、１０回以上は３点にしてもよい。キーワードについても、キーワードの登場回数で重みを変更させてもよい。このようにすることで、汎用性に富み、精度の高い重要度の決定をおこなうことができる。
【００８６】
図５に戻って、ＣＰＵ２０１は、ステップＳ５０２において決定された重要度に基づいて、表示用画像データの画像情報から生成するサムネイル画像のレイアウト決定処理をおこなう（ステップＳ５０３）。
【００８７】
図８を用いて、本発明の実施形態の画像表示装置１００におけるレイアウト決定処理（図５に示したステップＳ５０３）について説明する。図８は、本発明の実施形態の画像表示装置におけるレイアウト決定処理（図５に示したステップＳ５０３）の処理の内容を示すフローチャートである。図８のフローチャートにおいて、まず、ＣＰＵ２０１は、ステップＳ５０２において決定された重要度に基づいて、サムネイル画像のサイズ、順序を決定するため、ステップＳ５０２において決定された重要度に基づいて、サムネイルを生成する表示用画像データを重要度の高いものから順に並び替える（ステップＳ８０１）。
【００８８】
ＣＰＵ２０１は、ステップＳ８０１において並び替えられた表示用画像データについて、サムネイル画像のサイズを所定の閾値に基づいて大中小のいずれかに決定する（ステップＳ８０２）。サムネイル画像のサイズは、たとえば、ディスプレイ２１５のサイズに応じて定めておくこととしてもよい。具体的には、たとえば、各サイズのうち、「大」は１ページ（１画面）に４枚表示可能なサイズ、「中」は１ページに９枚表示可能なサイズ、「小」は１ページに１６枚表示可能なサイズなどである。所定の閾値は、たとえば、重要度として付与された重みによって決定することとしてもよい。具体的には、重要度が１５点以上であれば「大」、重要度が８〜１４点であれば「中」、重要度が３〜７点であれば「小」、重要度が３点未満であればサムネイルの作成をおこなわないなどである。
【００８９】
ＣＰＵ２０１は、ステップＳ８０２において決定されたサムネイル画像の各サイズについて、表示のための各サイズの数調整と配置を決定し（ステップＳ８０３）、一連のレイアウト決定処理を終了し、図５に示したステップＳ５０５へ戻る。数調整と配置の決定は、たとえば、サムネイルを生成する対象となる表示用画像データの数量と、各サイズの１ページに表示可能な枚数に応じて決定される。
【００９０】
図９を用いて、本発明の実施形態の画像表示装置におけるサムネイル画像の数調整と配置の決定について説明する。図９は、本発明の実施形態の画像表示装置におけるサムネイル画像の数調整と配置の決定の一例を示す説明図である。図９において、図８に示したサイズ、順序決定処理で１４枚の表示用画像データのサムネイル画像について、「大」サイズ１枚、「中」サイズ５枚、「小」サイズ８枚に決定された場合について説明する。
【００９１】
「大」サイズは、１ページに４枚表示可能であることから、２枚、４枚、６枚（１ページに４枚＋他のページに２枚）で２の倍数で表示することとして、表示する場合は、１ページの縦または横に並列的に表示する構成とする。「中」サイズは、１ページに６枚表示可能であることから、３枚、６枚、９枚（１ページに６枚＋他のページに３枚）のように３の倍数で表示することとして、表示する場合は、縦または横に並列的に表示する構成とする。なお、図１０の例では、「大」サイズ、「中」サイズともに縦に並列的に表示する場合について説明する。
【００９２】
「小」サイズは、「大」「中」の各サイズの配置後の余白に表示することとなる。上記のような配置にした場合に、図８に示したサイズ、順序の割合から微調整をおこなって、図９に示すサムネイル画像一覧９０１，９０２となるように各サイズの数調整と配置をおこなうこととなる。
【００９３】
図５に戻って、ＣＰＵ２０１は、ステップＳ８０３において決定されたサムネイル画像の各サイズの数および配置に基づいて、表示用画像データのサムネイル画像を生成して、生成したサムネイル画像を、通信Ｉ／Ｆ２０７を介して送信先の画像表示装置１１０へ送信し（ステップＳ５０５）、一連のサムネイル画像送信処理を終了して、図４に示したステップＳ４０３へ戻る。
【００９４】
図４に戻って、ＣＰＵ２０１は、ステップＳ４０１において開始された通話が終了したか否かを判断する（ステップＳ４０３）。ステップＳ４０３において、通話が終了するのを待って、終了した場合（ステップＳ４０３：Ｙｅｓ）は、ＣＰＵ２０１は、記憶媒体２０４に記憶された履歴情報としての通話履歴データを更新して、ステップＳ４０１へ戻る。
【００９５】
（画像表示装置１１０の処理の内容）
図１０を用いて、本発明の実施形態の送信先の画像表示装置１１０の処理の内容について説明する。図１０は、本発明の実施形態の送信先の画像表示装置の処理の内容を示すフローチャートである。図１０のフローチャートは、表示用画像データの送信元の端末装置である画像表示装置１００からサムネイル画像を画像表示装置１１０で受信する処理の一例を示すフローチャートである。
【００９６】
図１０のフローチャートにおいて、まず、ＣＰＵ２０１は、通信Ｉ／Ｆ２０７を介して、画像表示装置１００との通話が開始されたか否かを判断する（ステップＳ１００１）。具体的には、送信元の画像表示装置１００から、通信Ｉ／Ｆ２０７によって、ネットワーク１５０に接続されたプロバイダを介して送信される発呼信号を受信する。ステップＳ１００１においては、ＣＰＵ２０１は、通信Ｉ／Ｆ２０７によって受信された発呼信号に応じて着呼をおこなう場合に、通話が開始されたと判断する。ステップＳ１００１において、通話が開始されるのを待って、開始された場合（ステップＳ１００１：Ｙｅｓ）は、ＣＰＵ２０１は、送信元の画像表示装置１００から送表示用画像データのサムネイル画像を受信したか否かを判断する（ステップＳ１００２）。
【００９７】
ステップＳ１００２において、サムネイル画像を受信するのを待って、受信した場合（ステップＳ１００２：Ｙｅｓ）は、ＣＰＵ２０１は、映像Ｉ／Ｆ２０５を制御して、ステップＳ１００２において受信されたサムネイル画像をディスプレイ２１５に表示する（ステップＳ１００３）。
【００９８】
ＣＰＵ２０１は、ステップＳ１００１において開始された通話が終了したか否かを判断する（ステップＳ１００４）。ステップＳ１００４において、通話が終了するのを待って、終了した場合（ステップＳ１００４：Ｙｅｓ）は、ＣＰＵ２０１は、記憶媒体２０４に記憶された履歴情報としての通話履歴データを更新して（ステップＳ１００５）、ステップＳ１００１へ戻る。
【００９９】
なお、図１０のフローチャートでは説明を省略したが、ステップＳ１００３において表示されるサムネイル画像は、サムネイル画像の生成元となった表示用画像データの取得要求をおこなうために選択可能に一覧表示される構成である。すなわち、画像表示装置１１０の利用者が、サムネイル画像の一覧から取得を所望する表示用画像データを選択すると、ＣＰＵ２０１は、画像表示装置１００へ取得要求をおこなう構成である。そして、送信元の画像表示装置１００は、送信先の画像表示装置１１０から取得要求があった場合に、選択されたサムネイル画像の生成もとの表示用画像データを送信する構成である。表示用画像データの取得要求は、たとえば、通話中に限らず、通話後のタイミングでおこなうこととしてもよい。すなわち、ステップＳ１００３に示したサムネイル画像の表示は、通話終了後、利用者の操作によって表示可能な構成でもよい。
【０１００】
以上説明したように、本発明の実施形態の表示用画像装置によれば、通話履歴データや電話帳データに基づいて、送信候補（受信候補）となる表示用画像データのサムネイル画像を生成することができる。また、通話履歴データや電話帳データに基づいて、サムネイル画像のサイズや配置を適切に決定することができる。したがって、送信先の利用者は、効率的に所望の表示用画像データを選択することができる。くわえて、送信元の画像表示装置から表示用画像データを送信することなく、サムネイル画像によって送信元の利用者の送信を所望する表示用画像データや送信先の利用者の所望の表示用画像データを確認させることができるため、通信量の低減を図りつつ、適切に表示用画像データを選択させることができる。
【０１０１】
（その他の一部の変形例）
本発明の実施形態では特に、図８に示したステップＳ８０３において、所定の閾値に基づいてサムネイル画像のサイズを決定する構成としたが、これに限ることはない。具体的には、たとえば、重要度として付与された点数に閾値を用いる代わりに、「大」「中」「小」の各サイズの比率を定めておいて、定められた比率に基づいて、重要度の高いものからサムネイル画像の各サイズを決定する構成でもよい。
【０１０２】
予め定めるサイズは、たとえば、ディスプレイ２１５に表示される一覧の１ページに表示可能なサイズに基づいてもよい。すなわち、「大」は１ページに４枚表示可能、「中」は１ページに９枚表示可能、「小」は１ページに１６枚表示可能とした場合、大：中：小＝４：９：１６などと決定してもよい。このようにすれば、所定の閾値を用いた比較処理をおこなわなくても、サムネイル画像のサイズを適切に決定することができる。
【０１０３】
また、各サイズの割合は、全体の枚数に応じて決定する構成でもよい。具体的には全体の枚数が１０００枚以上である場合は、「大」サイズの割合を減少させて、「中」「小」サイズのサムネイル画像を多く生成する。このようにすることで、効率的にサムネイル画像の一覧を確認することができる。
【０１０４】
また、本発明の実施形態では特に、所定の閾値に基づいてサムネイル画像のサイズを決定しる構成としたが、これに限ることはない。具体的には、たとえば、「大」サイズとなる割合に応じて、各サイズを変更することとしてもよい。たとえば、「大」サイズの割合が全体の５％未満などの所定の割合や、「大」サイズで表示されるページ数が所定のページ数未満である場合などは、「大」サイズの大きさを拡張することとしてもよい。「大」サイズが１ページに４枚表示可能としてサイズを決定した場合、全体の５％未満などの所定の割合や、「大」サイズで表示されるページ数が所定のページ数未満である場合には、「大」サイズの大きさを１ページに１枚となるサイズに変更する。一方で、「大」サイズの割合が全体の５０％以上などの所定の割合や、「大」サイズで表示されるページ数が所定のページ数以上である場合などは、「大」サイズの大きさを縮小することとしてもよい。このようにすることで、サムネイル画像のレイアウト決定の最適化を図ることができる。
【０１０５】
また、本発明の実施形態では特に、送信元の画像表示装置１００によって図５に示したステップＳ５０２における重要度決定処理やステップＳ５０３におけるレイアウト決定処理をおこなう構成としたが、これに限ることはない。具体的には、たとえば、送信元の画像表示装置１００は、送信対象のサムネイル画像を生成したら、生成したサムネイル画像を表示用画像データの各項目と関連付けて送信先の画像表示装置１１０に送信する。送信先の画像表示装置１１０は、複数のサムネイル画像を受信すると、ＣＰＵ２０１は、本発明の作成手段の機能として、自装置の記憶媒体２０４に記憶された通話履歴データや電話帳データに基づいて重要度決定処理およびレイアウト決定処理を実行する構成でもよい。
【０１０６】
また、図５に示した重要度決定処理までを送信元の画像表示装置１００でおこなって、レイアウト決定処理を送信先の画像表示装置１１０でおこなう構成でもよい。もちろん、双方の画像表示装置１００，１１０で重要度決定処理またはレイアウト決定処理をおこなう構成としてもよい。さらに、画像表示装置１００，１１０の処理性能によって、処理性能が高い装置によって重要度決定処理やレイアウト決定処理をおこなうよう決定する構成でもよい。具体的には、たとえば、送信元の画像表示装置１００のＣＰＵ２０１は本発明の性能取得手段の機能を実現し、通信Ｉ／Ｆ２０７を介して送信先の画像表示装置１１０の性能情報を取得する。また、送信先の画像表示措置１１０のＣＰＵ２０１は、自装置の性能情報を取得する。このようにすることで、システム全体の汎用性を向上させ、利便性の向上を図ることができる。
【０１０７】
また、ステップＳ５０３において決定されたレイアウト情報に基づいたサムネイル画像について、ステップＳ５０５において送信先の画像表示装置１１０へ送信する構成としたがこれに限ることはない。具体的には、たとえば、送信元の画像表示装置１００は、ステップＳ５０３において決定されたレイアウト情報と、表示用画像データに基づくサムネイル画像とをステップＳ５０５の処理によって送信する。送信先の画像表示装置１１０は、ステップＳ１００２における処理によって、複数のサムネイル画像と、レイアウト情報とを受信する。送信先の画像表示装置１１０は、受信したサムネイル画像を、レイアウト情報に基づいて一覧表示することとすればよい。
【０１０８】
また、本発明の実施形態では特に、ステップＳ５０１に示したステップＳ５０１において、送信対象とするサムネイル画像の生成元となる表示用画像データを抽出するため、送信先の画像表示装置１１０に存在しない表示用画像データを抽出する構成としたが、これに限ることはない。具体的には、たとえば、ステップＳ５０２に示した重要度決定処理のように通話履歴データや電話帳データを用いて、重要度の高い表示用画像データのうち、上位の所定枚数を抽出することとしてもよい。このようにすれば、重要度の高い表示用画像データを正確に抽出することができ、送信先の利用者の所望する表示用画像データのサムネイル画像を効率的に送信することができる。
【０１０９】
また、本発明の実施形態では特に、図４に示したサムネイル画像送信処理（図５に示したステップＳ５０５）について、ステップＳ４０１〜ステップＳ４０３において通話中におこなうこととして説明したが、これに限ることはない。具体的には、たとえば、通話が終了しても、送信対象となったサムネイル画像の送信が終了していない場合は、継続して送信をおこなうこととしてもよい。このとき図１０に示したステップＳ１００２、Ｓ１００３におけるサムネイル画像の受信および表示についても同様である。具体的には、ステップＳ１００４において通話が終了してもサムネイル画像を受信する構成としてもよい。このようにすれば、確実にサムネイル画像の送信をおこなうことができる。また、通話時間が短い場合には、サムネイル画像の送信をおこなわない構成としてもよい。このようにすれば、通話のみを目的としている場合などは、サムネイル画像の送受信をおこなわずに、通信の最適化を図ることができる。
【０１１０】
また、本発明の実施形態では特に、図３に示した通話履歴データとして、前回の通話内容などを用いる構成としたが、これに限ることはない。具体的には、たとえば、今回の通話内容を通話履歴データとして用いることとしてもよい。今回の通話内容を用いる場合、重要度決定処理、レイアウト決定処理などを経るサムネイル画像送信処理は、通話終了後の処理になる。今回の通話内容をキーワードに用いることとすれば、利用者にとって最新の重要度によってサムネイル画像を送受信することができる。
【０１１１】
また、本発明の実施形態では特に、図８に示したステップＳ８０１およびステップＳ８０２におけるサイズ、順序の決定で、重要度および所定の閾値を用いる構成としたがこれに限ることはない。具体的には、たとえば、送信先の画像表示装置１１０の性能情報として、ディスプレイ２１５の解像度を取得して、取得された解像度を用いてサイズ、順序を決定することとしてもよい。具体的には、予め設定された「小」サイズのサムネイル画像の最小解像度について、ディスプレイ２１５の解像度から、「小」サイズのサムネイル画像の解像度が最小解像度を下回らない範囲で、「小」サイズを決定する構成である。
【０１１２】
より具体的には、たとえば、「小」サイズの最小解像度が１４０×１０５画素である場合に、ディスプレイ２１５の解像度が６４０×４８０であれば、「小」サイズのサムネイル画像は、ディスプレイ２１５を越えない範囲で、横：１４０×４＝５６０、縦１０５×４＝４２０で１６枚ということになる。送信先の画像表示装置１１０のディスプレイ２１５の解像度は、たとえば、図４に示したステップＳ４０１における通話開始と共に取得したり、送信元の画像表示装置１００から送信先の画像表示装置１１０へ取得要求をおこなうこととしてもよい。
【０１１３】
なお、本発明の実施形態では、ＩＰ電話による通話について説明したが、これに限ることはない。具体的には、たとえば、公衆電話回線網を用いて、交換機を介して通話をおこなう場合に適用してもよい。さらに、インターネットを用いたメールの送受信について、メールの送受信履歴やメールアドレスを用いることとしてもよい。このようにすれば、反抗性を向上させることができる。
【０１１４】
また、上述した説明では、実施形態および一部の変形例について別々の例として説明したが、これに限ることはない。すなわち、それぞれを組み合わせた構成として、実施形態および一部の変形例による手法を適宜組み合わせて利用してもよい。
【０１１５】
なお、本発明の実施形態および変形例で説明した方法は、あらかじめ用意されたプログラムをパーソナルコンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【符号の説明】
【０１１６】
１００，１１０  画像表示装置
２０１  ＣＰＵ
２０２  ＲＡＭ
２０３  ＲＯＭ
２０４  記憶媒体
２０５  映像Ｉ／Ｆ
２０６  入出力Ｉ／Ｆ
２０７  通信Ｉ／Ｆ
２１５  ディスプレイ
２１６  操作入力部
２１７  通話制御部
２２０  バス
【図１】
2011199585.tif 000003
【図２】
2011199585.tif 000004
【図３】
2011199585.tif 000005
【図４】
2011199585.tif 000006
【図５】
2011199585.tif 000007
【図６】
2011199585.tif 000008
【図７】
2011199585.tif 000009
【図８】
2011199585.tif 000010
【図９】
2011199585.tif 000011
【図１０】
2011199585.tif 000012